(57)【特許請求の範囲】
【請求項１】
改良自己現像型フィルムユニットであって、
前記フィルムユニットの前端部にある、現像流体の破裂可能レザバと、
第一および第二オーバーライング層を含み、該オーバーライング層の１層は、写真潜像を形成するように露光可能である自己現像型の画像記録手段と、
前記第一および第二オーバーライング層との間でそれらに連結されて、その間に現像空間を提供し、そこを通って現像流体を通過させるスペーサ手段と、
前記フィルムユニットの後端部にあって、前記現像空間を通って移動している過剰の現像流体を収集する流体トラップアセンブリと、
破裂したレザバからの現像流体を前記現像空間に導入させ前記潜像の現像を開始するための流体通路を含み、前記レザバを前記現像空間の前端にカップリングする第一液密カップリング手段と、
前記現像流体を前記トラップアセンブリに入れるための流体通路を含み、前記現像空間の後端を前記トラップアセンブリにカップリングする第二液密カップリング手段と、
を備え、
前記第一および第二オーバーライング層の末端部および前記スペーサ手段は、壊れやすいセグメントを含み、該壊れやすいセグメントは、手で引き裂いたとき分離可能であるように、穿孔およびランドを伴った引き裂き可能ゾーンを含んでおり、該穿孔およびランドは、所定経路および引き裂き線に沿って引き裂きを容易にしかつ案内するように交互に配置されているが、該ランドは、張力下で前記フィルムユニットの引張りを許容するのに充分な強度を有しており、前記第一および第二流体カップリング手段が、前記引き裂き可能ゾーンを被覆し密封するように、前記第一および第二オーバーライング層に装着されている、フィルムユニット。
【請求項２】
前記スペーサレールが、その間での引き裂きの伝播を容易にする弱い長手縁部を備えている、請求項１に記載のフィルムユニット。
【請求項３】
各層にある前記穿孔が、前記側方縁部から側方に間隔を置いて配置されているかまたは正しく合わせられて、前記引き裂き線に沿った分離を容易にするが、もし、前記フィルムユニットが直線経路に対して斜めに引かれたなら、早期の分離を防止する、請求項１に記載のフィルムユニット。
【請求項４】
前記第一および第二液密カップリングアセンブリが、それぞれ、内部末端部で、前記第一および第二層の対向末端に密封可能に固定されており、前記引き裂き可能ゾーンが、該各個の末端部から内向きに位置しており、それにより、前記ゾーンが、該層により密封され、該層上に残っている該カップリングアセンブリの任意の分離したセグメントが、該フィルムユニット内に限局されており、それにより、一般に滑らかな縁部を与える、請求項１に記載のフィルムユニット。
【請求項５】
前記引き裂き線の両側において、前記流体カップリングの２個の互いに面している面のうちの少なくとも一面で、現像流体活性化接着剤をさらに備え、それにより、該接着剤が、前記穿孔に沿った前記引き裂きに続いて、このような互いに面している面が密封可能に共に接合できるように配置されており、それにより、該フィルムの該層が密封可能であるだけでなく、前記第一および第二カップリングメンバーの分離した末端が密封可能であり、それにより、流体の漏れをなくすかまたは最小にする、請求項１に記載のフィルムユニット。
【請求項６】
改良自己現像型フィルムユニットであって、
前記フィルムユニットの前端部にある、現像流体の破裂可能レザバと、
第一および第二オーバーライング層を含み、該オーバーライング層の１層は、写真潜像を形成するように露光可能である自己現像型の画像記録手段と、
前記第一および第二オーバーライング層との間でそれらに連結されて、その間に現像空間を提供し、そこを通って現像流体を通過させるスペーサ手段と、
前記フィルムユニットの後端部にあって、前記現像空間を通って移動している過剰の現像流体を収集する流体トラップアセンブリと、
破裂したレザバからの現像流体を前記現像空間に導入させ前記潜像の現像を開始するための流体通路を含み、前記レザバを前記現像空間の前端にカップリングする第一液密カップリング手段と、
前記現像流体を前記トラップアセンブリに入れるための流体通路を含み、前記現像空間の後端を前記トラップアセンブリにカップリングする第二液密カップリング手段と、
を備え、
前記第一液密カップリング手段は、第一対の第一および第二カップリング要素および対応する第一対の延長部材を含み、前記第一対の第一カップリング要素は、一方の末端部で、前記第一オーバーライング層の内部末端部に密封可能に固定され、かつ、前記第一対の第二カップリング要素は、一方の末端部で、前記第二オーバーライング層の内部末端部に密封可能に固定されており、
前記第一対の第一カップリング要素の対向末端部は、前記第一対の延長部材の一方の末端部に密封可能に固定され、かつ、前記第一対の第二カップリング要素の対向末端部は、前記第一対の延長部材の一方の末端部に密封可能に固定されており、
前記第二液密カップリング手段は、第二対の第一および第二カップリング要素および対応する第二対の延長部材を含み、前記第二対の第一カップリング要素は、一方の末端で、前記第一オーバーライング層の長手方向に対向した内部末端部に密封可能に固定され、かつ、前記第二対の第二カップリング要素は、前記第二オーバーライング層の長手方向に対向した内部末端部に密封可能に固定されており、
前記第二対の第一カップリング要素の対向末端部は、前記第二対の延長部材の一方の末端部に密封可能に固定され、かつ、前記第二対の第二カップリング要素の対向末端部は、前記第二対の延長部材の他方の末端部に密封可能に固定されており、
前記第一対および第二対の前記第１および第２カップリング要素は、壊れやすいセグメントを含み、該壊れやすいセグメントは、手で引き裂いたとき分離可能であるように、穿孔およびランドを伴った引き裂き可能ゾーンを含んでおり、該穿孔およびランドは、所定経路および引き裂き線に沿って引き裂きを容易にしかつ案内するように交互に配置されているが、該ランドは、張力下で前記フィルムユニットの引張りを許容するのに充分な強度を有しており、前記第一および第二流体カップリング手段が、前記引き裂き可能ゾーンを被覆し密封するように、前記第一および第二オーバーライング層に装着されている、フィルムユニット。
【請求項７】
前記スペーサレールが、その間での引き裂きの伝播を容易にする弱い長手縁部を備えている、請求項６に記載のフィルムユニット。
【請求項８】
各層の前記穿孔が、前記側方縁部から側方に間隔を置いて配置されているかまたは正しく合わせられて、前記引き裂き線に沿った分離を容易にするが、もし、前記フィルムユニットが直線経路に対して斜めに引かれたなら、早期の分離を防止する、請求項６に記載のフィルムユニット。
【請求項９】
前記第一および第二液密カップリング手段が、それぞれ、内部末端部で、前記第一および第二層の対向末端に密封可能に固定されており、前記引き裂き可能ゾーンが、該各個の末端部から内向きに位置しており、それにより、前記ゾーンが、該層により密封され、該層上に残っている該カップリングアセンブリの任意の分離したセグメントが、該フィルムユニット内に限局されており、それにより、一般に滑らかな縁部を与える、請求項６に記載のフィルムユニット。
【請求項１０】
前記引き裂き線の両側において、前記流体カップリングの２個の互いに面している面のうちの少なくとも一面で、現像流体活性化接着剤をさらに備え、それにより、該接着剤が、前記穿孔に沿った前記引き裂きに続いて、このような互いに面している面が密封可能に共に接合できるように配置されており、それにより、該フィルムの該層が密封可能であるだけでなく、前記第一および第二カップリングメンバーの分離した末端が密封可能であり、それにより、流体の漏れをなくすかまたは最小にする、請求項６に記載のフィルムユニット。
【請求項１１】
改良自己現像型フィルムユニットであって、
前記フィルムユニットの前端部にある、現像流体の破裂可能レザバと、
第一および第二オーバーライング層を含み、該オーバーライング層の１層は、写真潜像を形成するように露光可能である自己現像型の画像記録手段と、
前記第一および第二オーバーライング層との間でそれらに連結されて、その間に現像空間を提供し、そこを通って現像流体を通過させるスペーサ手段と、
前記フィルムユニットの後端部にあって、前記現像空間を通って移動している過剰の現像流体を収集する流体トラップ手段と、
破裂したレザバからの現像流体を前記現像空間に導入させ前記潜像の現像を開始するための流体通路を含み、前記レザバを前記現像空間の前端にカップリングする第一液密カップリング手段と、
前記現像流体を前記トラップア手段に入れるための流体通路を含み、前記現像空間の後端を前記トラップ手段にカップリングする第二液密カップリング手段と、
を備え、
前記第一カップリング手段は、前記レザバの外面に密封可能に固定された末端部、および前記画像記録手段の前端部内に密封可能に固定された末端部を有し、前記第二カップリング手段は、前記画像記録手段の後端部内に密封可能に固定された末端部、および前記トラップ手段の外面に密封可能に固定された末端部を有しており、
前記画像記録手段は、感光層を含み、そして該感光層の上に横たわって同延の関係で画像受容層を含み、該画像受容層および該感光層は一体拡散移動型であり、
前記スペーサ手段は、間隔を置いて配置した略平行の細長い一対のレールを含み、該レールは、前記第一および第二オーバーライング層の対向した辺縁部に隣接してそれと同延であり、
前記第一および第二液密カップリング手段の各々は、一対の可撓性シートから製造され、前記各シートは、共に密封可能に接合されて前記流体通路を規定するとともに、前記各シートの合体厚さは、前記レールの１本の厚さに等しく選定されており、
前記画像記録手段の前記前端部および前記後端部の内側に位置した前記第一および第二カップリング手段のシート部分が、相互に対向する表面の少なくとも１面に、流体活性化接着層を有し、該接着層が、前記シート部分の実質的な幅を横切って延在する壊れやすい部分の両側にあるように構成されかつ大きさを合わせられている、フィルムユニット。
【請求項１２】
前記壊れやすい部分が、刻み線により形成されている、請求項１１に記載のフィルムユニット。
【請求項１３】
前記感光層および前記画像受容層が、その前端および後端に壊れやすい部分を有し、該壊れやすい部分が、前記シートの前記壊れやすい部分と整列されている、請求項１２に記載のフィルムユニット。
【請求項１４】
前記感光層および前記画像受容層の前記壊れやすい部分が、前記シートの前記壊れやすい部分と垂直に整列されている、請求項１３に記載のフィルムユニット。
【発明の詳細な説明】
【０００１】
（関連出願の相互参照）
本願は、１９９９年１０月１日に米国特許商標庁に出願された係属中の仮米国特許出願第６０／１５６，９８４号の恩典を請求しているだけでなく、米国特許出願第０８／９５９，３６１号（現在、１９９９年１１月９日に発行された米国特許第５，９８１，１３７号である）の部分継続出願である。
【０００２】
（発明の背景）
本発明は、一般に、自己現像型のフィルム集合体（ａｓｓｅｍｂｌａｇｅ）に関し、さらに特定すると、複数の相互連絡した画像形成ユニット（これは、互いに対して、個々に分離可能である）を有するこの型の改良フィルム集合体に関し、ここで、各ユニットは、その付随した流体容器およびトラップを取り外し可能にする。
【０００３】
いわゆる自己現像型の写真用フィルム集合体は、一般に、いわゆる「剥離」（ｐｅｅｌ−ａｐａｒｔ）型および「一体」型として分類されている。この剥離型では、現像流体の破裂可能な容器またはポッド（ｐｏｄ）を備えた画像支持シートと、その上に横たわった関係で合体させた感光シートを露光するという規定が設けられている。これらのシートは、圧力を加えるアセンブリを通るが、このアセンブリは、一対の並置ローラーを含み、このローラーは、この容器を破裂して、その流体を展開し、その露光潜像の現像を開始する。これらのシート間を通る過剰の流体は、流体トラップで収集される。使用者は、この画像支持部分を剥離しつつ、その間、このポッドおよびトラップ領域は、このフィルム集合体に付随したままになる。
【０００４】
本願出願人に譲渡された米国特許第３，４１５，６４５号；第３，６９５，８８４号；第３，８３３，３８２号で記述された一体化フィルムユニットは、この破裂可能容器またはポッド、画像支持領域、および流体トラップが露光前および露光後の両方で１ユニットとして共にまたは完全に残るという点で、密封式（ｓｅｌｆ−ｃｏｎｔａｉｎｅｄ）であると考えられている。現像は、このフィルムユニットを現像ローラー（これは、このポッドを破裂し、その現像液を散布して、現像を開始する）に通すことにより、実行される。このトラップは、過剰の現像流体を捕捉する。従って、例えば、カメラから現れるフィルムユニットは、密封式である。米国特許第５，８８８，６８３号は、細長いストリップ（これは、それにより運ばれる複数のフィルムユニットまたはフレームを含む）の形状で、他の例の密封式フィルム集合体を記述しており、それにより、これらのユニットの各々は、他のものに対して、分離可能である。
【０００５】
しかしながら、種々の理由のために、一体型フィルムユニットの使用者は、使用済みのポッドおよび付随したトラップのない画像支持部分を保持できることが望ましい。このようなポッドおよびトラップの除去を達成する試みは、公知である。例えば、本願出願人に譲渡された米国特許第２，６３４，８８６号は、このポッドおよびトラップを含むフィルム集合体の隣接領域から陽画を手で切断できる半穿孔（ｓｅｍｉ−ｐｅｒｆｏｒａｔｉｏｎｓ）を使用した剥離型フィルム集合体を開示している。米国特許第３，８０４，６２６号は、このポッドおよびトラップがフィルムユニットに分離されたフィルム集合体を開示しており、ここで、このフィルムユニットの後端を密封するために、現像流体活性化接着剤が供される。米国特許第４，６９３，９６３号は、このフィルム集合体の望ましくない要素が捨てられ得るように、陽画とポッドとの間にある穿孔を使用して、後者を手で分離できるようにしている。この特許はまた、分離から生じるフィルムの開放縁部に沿って密封することを教示している。密封は、この開放縁部の相互に面している面の１面またはそれ以上にある感圧接着剤または現像流体接着剤により、達成され得る。結果的に、現像したフィルムユニットの完全性は、現像流体の漏れの防止と共に、維持される。
【０００６】
上で示した方針に沿って努力がなされているものの、それにもかかわらず、フィルム現像前または現像後のいずれかで、現像流体の漏れを実質的に最小にするかおよび／または密封する様式で、このような自己現像型フィルム集合体、流体ポッドおよびトラップ部分からの取り外しの容易性および信頼性を改善することが引き続いて望まれている。
【０００７】
（発明の要旨）
本発明によれば、改良自己現像型フィルム集合体が提供される。このフィルム集合体には、以下の部分が含まれる：現像流体供給アセンブリであって、この現像流体供給アセンブリは、このユニットの前端部分で、現像流体の破裂可能容器またはレザバを含む；自己現像画像記録アセンブリであって、この画像記録アセンブリは、第一および第二オーバーライング（ｏｖｅｒｌｙｉｎｇ）層を含み、このオーバーライング層の１層は、写真潜像を形成するように露光可能であり、そしてこのスペーサアセンブリは、この第一と第二層との間でそれらに連結されて、その間に現像空間を提供し、そこを通って現像流体を通過させる；流体トラップアセンブリであって、このトラップアセンブリは、このフィルムユニットの後端部にあって、この現像空間を通って移動している過剰の現像流体を収集する；第一液密（ｆｌｕｉｄ−ｔｉｇｈｔ）カップリングアセンブリであって、この第一液密カップリングアセンブリは、このレザバを現像空間の前端に流動的に（ｆｌｕｉｄｉｃａｌｌｙ）カップリングして破裂したレザバからの現像流体をこの現像空間に導入させこの潜像の現像を開始するための流体通路を含む；および第二液密カップリングアセンブリであって、この第二液密カップリングアセンブリは、この現像空間の後端をこのトラップアセンブリに流動的にカップリングして現像流体をこのトラップアセンブリに入れるための流体通路を含む。上記好ましい例証実施形態では、この第一および第二フィルムユニット層の末端部だけでなく、このスペーサ手段は、壊れやすい（ｆｒａｎｇｉｂｌｅ）セグメントを含み、この壊れやすいセグメントは、手で引き裂いたとき、分離可能である。好ましくは、この壊れやすいセグメントは、付随した穿孔およびランドを備えた引き裂き可能ゾーンを含む。これらの穿孔およびランドは、所定経路および引き裂き線に沿って引き裂きを容易にし案内するように、互いに対して構成されているが、このランドは、引き裂き線にほぼ垂直に経路に沿って現像する間に、操作者が、このフィルムを進めることによって、張力下でこの穿孔フィルム集合体の引張りを許容するのに充分な強度を有する。この第一および第二流体カップリングアセンブリは、この第一および第二層に装着されて、この引き裂き可能ゾーンを被覆し密封する。
【０００８】
例証実施形態では、このスペーサ手段は、そこを通って引き裂きの伝播を容易にする弱い長手縁部を備え付けている。さらに他の実施形態では、各層にある穿孔は、この側方縁部から側方に間隔を置いて配置されているかまたは正しく合わせられて、引き裂き方向に沿った分離を容易にするが、もし、このフィルムユニットが予定直線方向と斜めに引かれたなら、早期の分離を防止する。他の好ましい実施形態では、この第一および第二液密カップリングアセンブリは、それぞれ、内部末端部で、このフィルムユニットの第一および第二層の対向末端に密封可能に固定されている。この引き裂き可能ゾーンは、このフィルムユニットの各個の末端部から内向きに（ｉｎｂｏａｒｄ）位置しており、それにより、このゾーンは、これらの層により密封され、これらの層上に残っているカップリングアセンブリの任意の分離したセグメントは、このフィルムユニット内にあり、それにより、滑らかな縁部を与える。
【０００９】
さらに他の実施形態では、これらの穿孔に沿って、引き裂き線の両側において、この液密カップリングの面している面で、現像流体活性化接着剤に対する規定が設けられている。この接着剤は、これらの穿孔に沿った引き裂きに続いて、このような互いに面している面が密封可能に共に接合できるように配置されている。それゆえ、このフィルムユニットの層が密封可能であるだけでなく、この第一および第二カップリングメンバーの分離した末端が密封可能である。それにより、現像流体の漏れを実質的になくすかまたは最小にする。
【００１０】
他の好ましい実施形態によれば、第一および第二流密カップリングアセンブリに対して規定が設けられ、各々は、このフィルムユニットの各対向末端において、第一および第二カップリング要素および対応する第一対の延長部材を含む。第一カップリング要素は、１末端部で、このフィルムユニットの第一層の内部末端部に密封可能に固定されており、そして第二カップリング要素は、このフィルムユニットの第二層の内部末端部に１末端部で密封可能に固定されている。第一カップリング要素の対向末端部は、第一対の延長部材の一方の末端部に密封可能に固定されているのに対して、第二カップリング要素の対向末端部は、第一対の延長部材の他方の末端部に密封可能に固定されている。第二液密カップリングアセンブリは、第二対の第一および第二カップリング要素および対応する第二対の延長部材を含み、第二対の第一要素は、一方の末端で、第一および第二層の一方の長手方向に対向した内部末端部に密封可能に固定されており、そして第二対の第二カップリング要素は、第一および第二層の他方の長手方向に対向した内面に密封可能に固定されている。第二対の第一カップリング要素の対向末端部は、第二対の延長部材の一方の末端部に密封可能に固定されているのに対して、第二対の第二カップリング要素の対向末端部は、第二対の延長部材の他方の末端部に密封可能に固定されている。これらの対の延長部材は、上記構造の穿孔およびランドだけでなく、このフィルムユニットに対して末端穿孔の位置合わせした間隔（ｒｅｇｉｓｔｅｒｅｄ ｓｐａｃｉｎｇ）を含む。
【００１１】
さらに、また、信頼できかつ経済的な様式で、このようなフィルム集合体を製造する方法に対して、規定が設けられている。
【００１２】
従って、本発明の目的は、新規な改良フィルム集合体、および簡単かつ操作し易いが信頼できる汎用フィルムを比較的に高い収率で生じる自己現像型フィルム集合体を製造する方法を提供することにある。
【００１３】
また、本発明の他の目的は、最後に述べた型の新規な改良フィルム集合体を提供することであり、ここで、その現像流体ポッドおよび付随したフィルムトラップは、引き裂きにより、画像支持部分から取り外し可能である。
【００１４】
本発明のさらに他の目的は、上記型のフィルム集合体を提供することにあり、ここで、これらの画像支持部分の残りの末端は、密封可能である。
【００１５】
本発明の上記目的ならびに他の目的および範囲は、添付の図面と関連して取り上げたとき、その詳細な説明を読むと明らかとなり、ここで、同じ参照番号は、いくつかの図にわたって、同じ構造を示す。
【００１６】
（詳細な説明）
権利を与えられた、同時係属中の部分継続非暫定米国特許出願第０８／９５９，３６１号が参照され、この出願の内容は、本明細書中で参考として援用され、本発明の一部をなす。
【００１７】
図２では、長手方向に延びる写真用フィルム集合体１０の一部は、複数の交互に間隔を置いて配置した一体型自己現像フィルムユニット１２を含むものとして図示されている；しかし、記述されているように、このフィルムユニットは、自己現像剥離型から製造され得る。同延対の連結ストリップ１４ａ〜ｃおよび被覆ストリップ１５ａ〜ｃは、それぞれ、連続長手フィルム集合体を形成するように、交互線形配置で、フィルムユニット１２のそれぞれに連結されている。フィルム集合体１０は、好都合には、分離可能な個々の画像ユニットまたはフレーム１６ａ、ｂに細分され、これらは、連結ストリップ１４ｂの対の一対上にある弱いまたは壊れやすい部分１８から、１０個または１２個のフレーム（これは、連結ストリップ１４ａであり得る）の対の隣接対上にある等価部分１８まで長手方向に延びている。ある実施形態には、複数のフレームが作製できる。事実、数百が連続して連結される。以下で検討するように、弱いまたは壊れやすいセグメント１８は、好ましくは、構造的に弱い部分に相当し、これは、フレーム１６ａ、ｂの連続した個々のものを簡単に分離できるようにされている。図１は、本発明のフィルム集合体の製造における１手順を説明している。
【００１８】
本質的に、フィルムフレーム１６ａ、ｂの各々は、フィルムユニット１２の１個、破裂可能容器またはポッド２０（これは、現像液を含有し、フィルムユニット１２の前縁に隣接して位置している）、およびトラップ２２（これは、フィルムユニット１２の後縁に隣接している）を含む。トラップ２２は、破裂したポッドからの過剰の現像液（この現像液は、フィルムユニット１２の現像中、消費されない）を収集するように適合されている。破裂可能なポッドまたは容器２０およびトラップ２２の両方は、記述しているように、例えば、ホットメルト型接着剤によって、種々の連続工程で連結ストリップおよび被膜ストリップの対に積層することにより、固定される。ホットメルトラミネータ（ｌａｍｉｎａｔｏｒ）は、このポッドおよびトラップを、望ましいように、この連結シートおよび被覆シートに固定するように供される。連結ストリップおよび被覆ストリップの共働（ｃｏｏｐｅｒａｔｉｎｇ）対は、種々の材料から製造でき、この実施形態では、自己現像技術で使用される型のマスキング材料であり得る。
【００１９】
個々のフィルムユニットのサンドイッチ構造が参照されている。各々は、同一であり、従って、１つを記述することで、全てに足りる。本質的に、このサンドイッチ構造では、画像受容部材３０の層またはシートが含まれ、それと重ね合わせた関係で、感光部材３２の層またはシートが略同延であるだけでなく、その間には、長手方向に延びる一対のレール３４ａ、ｂが積層されており、これらは、このフィルムユニットの辺縁部に沿って、間隔を置いて配置されている。図示していないものの、フィルムユニット１２はまた、剥離型であり得、ここで、各部材３０および３２は、現像後に、分離できる。剥離型フィルムの一例では、この感光部材は、いわゆる「Ｅｘｃｅｄｒｉｎ」型から製造でき、ここで、光は、それを通って、略同延の重ね合わせ可能なカバーシート（これは、そこに、一対の側方レールを有する）に透過する。このようなカバーシートは、この感光部材に解除可能に積層されている。このような実施形態では、このカバーシートおよびレールは、部材３０およびレール３４ａ、ｂの代りとなり、この画像が現像された後、この重ね合わせ関係から外すことができる。他の剥離形状は、考えられる。
【００２０】
図２〜４を参照する。上記一体型フィルム集合体を製造する１方法は、積層フィルムサンドイッチ構造の１ロールを使用する工程を包含する。圧延したサンドイッチ構造は、一般に、横に切断すると、個々のフィルムユニット１２となる。このサンドイッチのウェブ幅だけでなく、これらの横カットの間隔も変えることができ、それにより、異なるサイズおよびアスペクト比のフィルムユニットが形成できるようになる。それゆえ、このフィルムユニットの図示した構成は、このサンドイッチ構造という理由で可能な多くの異なる変形物の代表的なものである。圧延し積層したサンドイッチ構造を形成するために、感光シート材料３０のストリップおよび画像受容シート材料３２のストリップは、ロータリーフィーダ（図示せず）の逆回転している積層ローラーのニップ（ｎｉｐ）に給送することにより、同延（ｃｏｅｘｔｅｎｓｉｖｅ）関係で、互いに密接に係合される。それと同時に、対向している長手縁部に沿って、レール材料の一対のストリップが給送される；各々は、その適切なロールに由来する。これらのレールは、それと共に使用できる特定のフィルム集合体に適切な厚さを有する。これらのレールは、上で述べたように、シート３０および３２間にサンドイッチされて、その対向している長手縁部に沿って位置している。熱および圧力の条件は、所望の積層を保証する時間に対して選択される。この圧力および時間は、所望の結合で選択される。例えば、これらのローラーは、共に鋼鉄であり得、共にゴム被覆でき、または一方がゴム被覆され、そして他方が鋼鉄であり得る。その後、適切に積層したシートは、好ましくは、フィルム供給ロールを提供するために、スプールに巻き付けられる。もし、積層後のフィルム供給品１８がスプール上に巻き付けられるなら、そのスプールの半径および巻き上げ張力は、その複合材料サンドイッチの過剰な曲げを引き起こさないように、同等に、注意深く選択される；特に、その互いに面している部分は、２本のレール３４ａ、３４ｂ間に位置している。
【００２１】
これらのシートおよびレールをロールからニップへと運搬するとき、個々のシートおよびレール内、およびシートとレールとの間で、それぞれ適切な張力を維持することが重要である。フィルム供給品１８は複合材料構造であるので、積層中の画像受容部材３０と感光部材３２との間の張力にムラがあると、積層後、フィルム供給品１８のカールが起こり得る。一例として、もし、画像受容部材３０の供給時の張力が、このニップの前の感光部材３２の張力よりも高いなら、画像受容部材３０は伸展して、積層後、弛緩（または、収縮）する。フィルム供給品１８は、従って、感光部材３２と共にカールして、凸面を形成し、そして画像受容部材３０は、凹面を形成する。
【００２２】
上で述べたように、積層プロセスから生じた熱は、この写真シートの特性および多分、他の材料または成分の特性にも悪影響を与える。これらのローラーは、従って、このローラーがレール部分３４ａ、３４ｂを含むフィルム供給品１８の側方辺縁部を除いて画像受容部材３０および／または感光部材３２の表面と接触しない様式で、製造され得る。これは、このローラーの放射（ｒａｄｉａｌ）陥凹部（これは、熱伝導性の低い材料（例えば、ゴム化合物）で満たされ得る）を長手方向に延長することにより、達成できる。この発想は、図４で描写した実施形態のほかに、他のフィルム構造体に適用できる。
【００２３】
レール材料は、一般に、ＰＥＴ基材を含有し、その上に、他の材料（好ましくは、複合材料（例えば、紙／繊維））の薄層か、または好ましくは液状の被覆（これは、乾燥したとき、所望の厚さをもたらす）か、いずれかが配置される。引き続いて、これらのレールの両側に、熱を加えることによって融解する接着剤が塗布される。この接着剤の活性温度は、いくつかの要因（特定の用途を含めて）に依存して、変わる。感光度を一致し易くするために上で述べたように、これらのレール部分の厚さが調節される。これを達成する１様式は、これらの層の１層が最適レール厚さよりもある程度小さい厚さにすることであり、第二層は、それより薄く、その厚さは、正しい感光測定を得る必要条件に従って、変えることができる。
【００２４】
前述のサンドイッチ関係の利点の１つには、この感光ストリップおよび画像受容ストリップの感光度関係が、このレールの厚さを公知様式で適切に調節することにより、極めて簡単に調節できることにある；それにより、この画像受容部材と感光部材との間の間隙の厚さは、これらのレールの厚さを調節することにより、設定できる。画像受容部材３０および感光部材３２を互いにおよびレール部分３４ａ、３４ｂと感光測定的に一致させる要件のために、フィルム供給品１８は、以下で述べる種々の実施形態において、好ましくは、工場で予め組み立てられ、この場合、それらの感光度特性は、測定でき、もし必要なら、調節できる。
【００２５】
前述の実施形態は、レールの選好性を開示しているものの、本発明は、画像受容部材３０と感光部材３２との間でレールを必要としない場合を考慮している。展開に望ましい上記の機械的な間隙は、次いで、段を付けたローラーにより、得られる。しかしながら、サンドイッチにしたレールが存在していると、このフィルムユニットは、比較的に高価な段差ローラーを使用する必要がない。事実、その代わりに、比較的に安価な略円筒形の展開ローラーが使用され得る。
【００２６】
今ここで、図４を参照すると、このフィルムユニットの一部のセグメントが示されている。個々のフィルムユニット１２は、後で、切離される（例えば、アセンブリにあるハンドカッターを使って切断されるか、または高速機械チョッパーにより切断される）。他の切断装置（例えば、レーザーなど）は、使用できる。二枚の部材３０、３２およびレール部分３４ａ、３４ｂは、この現像液を通過させるために、その間に、側方開口部３６を規定している。各個々のフィルムユニット１２の画像受容部材３０および感光部材３２は、好ましくは、同延であり、これらのレール部分は、最も好ましくは、フィルムユニット１２の全長にわたって、その辺縁部と同延である。従って、フィルムユニット１２は、分離後、さらに現像する必要がない。これらの分離カットは、好ましくは、そのフィルム面と垂直であるものの、それぞれ、フィルムユニット１２の前縁および後縁に近接した空間に残っている任意の残留現像液に対して、容量を少なくするために、角度を付け得る。
【００２７】
これらのフィルムユニットは、圧延し積層したサンドイッチ構造から切断できるものの、他のフィルムユニット構成方法は可能である。例えば、好ましいフィルム構成方法の他の１方法を説明するには、図５が参照される。そこで描写しているように、感光材料３２のストリップは、矢印の方向で、単独で、第一経路を前進する；そして画像受容材料３０のストリップは、矢印の方向で、第二経路に沿って前進して、その陰画に対して直角に移動できる。このような方法なら、この画像受容ストリップは、公知方法により、適切なレール材料から製造したレール３３の横断ストリップによって、適切に間隔を置いて、そこに固定される。レール３３の各々は、所望フィルムユニットの側面レールの幅の少なくとも２倍の幅を有し得る。レール３３の各々は、２本のレール３４ａ、３４ｂのセグメントを形成するために、参照番号３５で示す切断線に沿って、中間で切断できる。この切断動作の結果、適切に間隔を置いて配置された側面レールの対を有する画像受容部材の個々のシートが形成される。その後、適切な寸法にした感光部材３２は、切断でき、積層により、側面レール３４ａ、３４ｂに接着または固定できる；それにより、対応するフィルムユニット１２が形成される。
【００２８】
これらのフィルムユニットの一部の製造方法を記述した後、今ここで、ポッド２０およびフィルム集合体１０へのその装着を説明するために、図６〜８と併せた図２〜４を参照する。このフィルム集合体では、多種多様なポッド構造が使用でき、そのポッドは、公知のポッド製造方法により製造できることが分かり、それゆえ、その詳細な説明は、必要ではない。この実施形態では、ポッド２０は、その内面のビニル層、アルミニウム中間層および紙外層から製造した複合シート構造体４０を含む。ポッドシート４０は、その中間で折り畳まれる。得られた溝には、液状試薬の溜まりが加えられ、両方の折り畳みの頂縁４２は、その末端縁部と共に密封されて、それにより、所定長のポッドを得る。この頂縁シールは、このポッドがそれに沿って破裂して現像流体を散布し得るように、他のシールよりも比較的に弱い所定の結合である。このポッドは、適当な長手寸法（これは、すなわち、所定の画像幅と一致しており、使用するフィルムフォーマットに依存している）に切断され、公知の現像液で満たされ、そして側方縁部および破裂縁部（これは、このポッドの非破裂側と対向しているが、必ずしも、その順序ではない）に沿って、積層により、液密（ｌｉｑｕｉｄ−ｔｉｇｈｔ）密封される。もし望ましいなら、各ポッドは、シール線４４に沿って横に密封でき、それにより、ポッドの副隔室を形成するビニル−ビニル接触（ｖｉｎｙｌ−ｔｏ−ｖｉｎｙｌ ｃｏｎｔａｃｔ）が存在する。このような横シールの形成は、このポッドの対向フラップのビニル内層を共に熱結合することにより、完成する。後に、これらのシールは、それより小さい所定長のポッドを形成するために、これらのシール線に沿って、切断できる。しかしながら、本実施形態は、Ｖ形溝の底部に沿って位置している紐２３を含む点で、公知のポッド構造とは異なる（図６を参照）；これは、記述のように、ポッド前進の拘束手段として作用する。この点で生じる抵抗は、反力を与え、これは、このフィルムユニットへの引張り力よりも大きく、それにより、壊れやすい部分１８を割って分離することができる。しかしながら、この紐構造があると、このポッドの壁自体ではなく、このカメラ内のローラーに直接反応する抵抗が規定される。それに加えて、この紐は、位置合わせ突出部またはストップ（これは、このカメラ内の所望の焦点円錐で、このストリップの次の連続フィルムユニットを正しく位置づけるように作用する）を生じる。この紐ストップを形成するために、紐２３は、この溝の底部に置かれ、この紐の直上の溝の一部分は、紐の回りで共に積層される。この点で、１本の脚４１の内面上のビニル面は、他の脚４１の内面上のビニル面に積層される。その後、このポッドは、上記の公知様式で満たされ密封される。この紐は、従って、隆起を与え、これは、まず、これらのローラーと係合し、従って、このポッドを破裂することによって直接作用する不要な引張り力を分離するので、早期のポッド破裂の危険を少なくする。
【００２９】
紐が開示されているものの、他の材料および幾何学的に配置された断面が、考えられる。もちろん、この紐の末端は、ポッドへの挿入に続いて、取り除かれる。このような制動突出部の形成には、他の類似の技術が使用できることもまた、考えれる；例えば、これらの連結部材上での構造体の成形または配置、または連結部材と被覆ストリップとの間で材料を挿入すること。本発明はまた、種々の形状を有し得る種々の材料から製造できるポッドを有することを考慮している。それに加えて、このポッドは、切断によるポッドの望ましくない破裂を防止するために、金属のような構造体を含むことができるか、またはハサミなどによる切断に抵抗するように働く材料から製造できる。それに加えて、突出部の代わりに、他の同等の制動構造体が使用できると考えられる。
【００３０】
これらのトラップ実施形態の１個を説明することについては、図９および１０が参照される。これらの種々の実施形態は、集合体１０上に配置された個々のトラップが、予め組み立てられた好ましくは連続したテープから所望長に分離される（例えば、切断される）という共通点がある。このトラップ構造は、最初に述べた係属中の出願で示された様式で形成されるので、その詳細な説明は、必要ない。トラップは、一般に、過剰の現像液を収集するだけでなくそれを中和するように働くことが分かる。それに加えて、このトラップは、それらの現像ローラーが流体にトラップの密封を強制的に破裂させて次のユニットに移動し続けないように、これらのローラーを離れて展開するのに役立つ。この実施形態では、ほぼＶ形状の構成を有するトラップマスク６０が提供され、これは、その底部でこれらの連結シートの１枚に熱封着された折り返し６２の一方を有し、また、その頂部被覆シートに熱封着された他の折り返し６４を有し得る。公知のトラップ材料のストリップ６６は、折り返し６２の内面に熱封着される。このトラップ構造は、これらの連結ストリップの全幅にわたって、給送される。別の型のトラップは、図１０で示し、ここで、トラップ材料のストリップ６６は、中間で折り畳まれ、両方の折り返し６６ａ、ｂは、それぞれ、開示された型の積層により、この連結シートおよび被覆シートに適当に固定されている。
【００３１】
これらのポッドおよびトラップを説明した後、連結ストリップおよび被覆ストリップの共働（ｃｏｏｐｅｒａｔｉｎｇ）対の説明を示す。このことに関して、図２〜３に戻って参照する。上で述べたように、これらの共働ストリップは、破裂可能容器２０とフィルムユニット１２の前縁との間だけでなく、フィルムユニット１２の後縁とトラップ２２との間で、液密流路を規定する。これらの被覆ストリップは、一般に、幅が連結ストリップと同一の広がりを持っており、そしてこれらの連結ストリップの頂部で配置されている。これらの２個のストリップは、それらの各末端で、例えば、適当なホットメルト接着剤により、それぞれ、フィルムユニット１２の前縁および後縁に固定されている。さらに、これらの連結ストリップおよび被覆ストリップの対は、破裂可能容器２０に近接した側方辺縁部２６ａ、２６ｂに沿って、そしてトラップ２２に近接した側方辺縁部２８ａ、２８ｂに沿って、固定され液密封着されている。破裂可能容器２０とトラップ２２との間の領域では、これらの連結ストリップおよび被覆ストリップの対は、例えば、ホットメルトラミネータにより、周囲から破裂可能容器２０およびトラップ２２を液密様式で密封する様式で、例えば、接着剤または熱封着により、互いに固着される。これらの連結ストリップおよび被覆ストリップの対は、交互配置で、端と端とを接して、液密様式で、例えば、熱封着により、各側方部分４２ａ、４２ｂに沿って、フィルムユニット１２に固定される。それに加えて、連結ストリップ１４および被覆ストリップ１５の対の間では、事実上、「ゼロ間隙」（ｚｅｒｏ ｇａｐ）が残る。これらのゼロ間隙ゾーンは、現像後、些少な量の残留現像液だけを含有するように、充分に寸法合わせされている。このゾーンはまた、任意の過剰な試薬を蓄積できる（これは、そうしなければ、フィルムユニット１２の開口部に「逆流」して望ましくない画像アーチファクトを起こし得る）。このゾーンにより、また、このフィルム集合体の容易な曲げが可能になる。他の利点には、画像ユニット１２の相対的に堅い部分（すなわち、破裂可能容器２０およびトラップ２２が連結ストリップの対に固定される部分）を、曲げなしで、共働カメラから引き出すことができるのに対して、これらのストリップ対の他の全ての部分が容易に曲げられることがある。
【００３２】
まず、第一実施形態において、図３ｃを参照すると、連結ストリップおよび被覆ストリップの各対に対して、１個の被覆ストリップ１５が提供されている。被覆ストリップ１５は、連結ストリップ１４の対と実質的に同じ長さおよび同じ幅を有し、同一の広がりを持って位置合わせして配置され、そして例えば、辺縁部２６ａ、２６ｂ、２８ａ、２８ｂに沿って密封することにより、破裂可能容器２０とトラップ２２との間の領域で、上記様式で、連結ストリップ１４の対に固定される。この流体通路を提供するためにこれらの連結ストリップから分離した被覆ストリップを使用する代わりに、幅を広げた単一の連結ストリップが使用でき、その幅は、相互に隣接している縁部に沿って１つだけの積層が存在するように、中間で、縦に折り畳み可能である。これらの流体通路はまた、この現像流体を運ぶために、そこを通って適当に形成された管腔を有する単一の部材から製造され得る。もちろん、これらのフィルムユニットは、この管腔の対向末端に挿入しなければならない。
【００３３】
先に述べたように、フィルム集合体１０は、好ましくは、構造的に弱くした部分１８を備え付けている。部分１８は、例えば、隣接画像ユニット１６ａ、ｂなどの分離を容易にするための穿孔により、弱くされる。これらの穿孔は、好ましくは、図示しているように、タブ４０を規定し、これは、共働するカメラ（図示せず）から先導画像ユニットを引き出すのに有用であり、それにより、手動現像を容易にし、そして安価なカメラ設計を可能にする。タブ４０は、この分離後、引張りにより分離した先行画像ユニットに残る。しかしながら、連続画像ユニット１６を分離するのに適当な他の方法（例えば、これらの側方辺縁部または外部カッターに沿ったノッチ）もまた使用でき、タブの存在およびこれらの図面で描写したその位置および形状が本発明の代表的な好ましい実施形態としてだけ解釈すべきことは、当業者に明らかである。
【００３４】
図３ｄで描写した本発明の他の実施形態では、図３ｃの隣接被覆ストリップ１５は、第一被覆ストリップ１５ａ１（これは、破裂可能容器２０を覆って延在する領域およびフィルムユニット１２の前縁を、好ましくは、縁４６ｂに沿って、液密シールで被覆し密封する）および第二被覆ストリップ１５ｂ１（これは、トラップ２２を覆って延在する領域およびフィルムユニット１２の後縁を、好ましくは、縁４６ａに沿って、液密シールで被覆し密封する）で置き換えられている。
【００３５】
共働するカメラ（図示せず）で画像ユニット１６ａ、ｂなどを現像中、適当な展開ローラー（これもまた、図示せず）は、破裂可能ローラー２０を破裂し、その現像液を、破裂可能容器２０から、フィルムユニット１２の前縁へと展開し、そしてフィルムユニット１２を通って、開口部３６に入れる。このフィルムユニット１２の前縁には、任意の過剰な現像液が存在しており、これは、トラップ２２に移動する。
【００３６】
種々の要素および部品を互いに装着および／または固定および／または密封する好ましい方法は、熱および／または圧力に応答性の接着剤を使用した熱積層または圧力積層によるが、また、他の方法（例えば、糊付けまたは溶接）も考えられ得ることが分かる。このような装着方法は、当該技術分野で周知である。上述のように、フィルム集合体１０の種々の部品を接合するのに使用される好ましいプロセスは、接着剤により、そして圧力および／または熱の適用による；このプロセスは、積層と呼ばれる。最も好ましい積層法は、回転ラミネータを使用することによりなされ、ここで、積層する部品は、加熱ローラーのニップ間で、これらのローラー間に加えた圧力で、重ね合わせ位置合わせして合体される。本発明では、感光性シート、ストリップの形状の複数のレールシート、および画像受容シートは、その順で、別個の供給ロールから取り出され、それらを駆動ローラー対のニップと合体させることにより、接合される。これらのシートを共に位置合わせ（ｒｅｇｉｓｔｒｙ）するために、通常の様式で、適当な案内および引張り手段が配置され得る。これらのローラーは、このレール材料の露出面に配置されたホットメルト接着剤の正しい融解を保証するために、適当な圧力および温度、ならびにローラーに対して圧力および温度の均一性を与えるように適合されている。
【００３７】
本発明の別のトラップ構成だけでなくその製造方法を説明するために、図１１および１１ａを参照する。図示しているように、連結ストリップ１４は、トラップマスク７０を有し、その近位末端７０ａは、７２で、７２にある連結ストリップの中間部に接着取付されている。このラップマスクの遠位末端７０ｂは、トラップ材料のストリップ７４を覆って折り畳まれ、そしてフィルムユニット１２の横縁に固定され、それにより、トラップ７６を形成する。このトラップマスクの側方末端は、次いで、密封式（ｓｅｌｆ−ｃｏｎｔａｉｎｅｄ）トラップを規定するように、この連結ストリップの側縁部に積層される。
【００３８】
図１１ｂの実施形態では、図６〜８のポッド構造は、例えば、トラップ７６に隣接した連結ストリップ１４上に配置でき、そして被覆シート７８は、中間部で、このポッドを覆ってそこに固定でき、そしてシート７８の対向自由端は、それぞれ、一端でトラップ７６に接続でき、そして他端で隣接フィルムユニット１２に接続できる。この実施形態では、トラップマスク７０の一部は、ある程度の超過があるように、トラップマスク７０を覆って鋭く折り畳まなくてもよい。この超過があることにより、この積層工程からの熱がトラップ材料７４を、折り畳んだ状態のとき、それ自身に結合させる可能性を少なくして、そこに結合できる。
【００３９】
図１３では、別の実施形態が図示されており、ここで、トラップ７６'およびポッド８０の両方は、先の実施形態のトラップ７６と同じ様式で、フィルムユニット１２に折り畳み可能に連結できる。予備的に、このポッドおよびトラップは、上記トラップ７６の形成と共に記述したように、連結ストリップ１４の各１個に固定される。図１３ｂで分かるように、隣接フィルムフレーム１６'は、次いで、例えば、一対の連結ストリップ８２により、直列に連結できる。連結ストリップ８２は、マスキング材料から製造でき、このフィルムフレームの対向末端に結合される；図１３ｂを参照。連結ストリップ８２は、適当には、フィルムフレーム１６'間でそこに熱封着される。連結ストリップ８２は、好ましくは、上記フレームの分離を容易にするための壊れやすい部分（図示せず）を有する。本実施形態は、これらの連結ストリップがマスキング材料から製造されることを開示しているものの、本発明はまた、連結ストリップ８２が種々の材料（例えば、好ましくは、比較的に簡単に制御され従って信頼できる引き裂き特性を備えた紙）から製造できる。他のフレームとの相互連絡用にそのように予め組み立てたフィルムフレーム１６'は、このストリップ上で組み立てた殆どのフレームを使用できる可能性が高い集合体を形成する。この構造では、これらのフィルムフレームの１個が正しく形成されていなくても、このストリップに連結されたフィルムフレームは、浪費されたと見なす必要がない点で、有利である。むしろ、間違って形成または装着されたフレームを捨てて交換する必要があるにすぎない。
【００４０】
図１４ａ〜ｃは、本発明の別のトラップ配置を形成する種々の工程を概略的に表している。この実施形態では、このトラップは、二重に折り畳まれ、そしてトラップ材料のストリップ６６'は、２枚の重なり合ったトラップマスク６０ａ、６０ｂの接合部で、積層により、固定されている。その後、２枚のマスク６０ａ、６０ｂは、図１４ｃで図示しているように、折り畳まれる；それにより、それらは、頂部および底部の折り返しを、頂部および底部連結シートおよび被覆シートの各１枚に固定でき得る。
【００４１】
前述の予め組み立てた密封式フレームは、次いで、予め組み立てたポッドおよびトラップおよび連結手段に固定できる。これらの予め組み立てたユニットの使用は、例えば、手作業を使用する枠組み（特に、暗室設定でのもの）を製造する際に、特に有利である。これに関連して、これらの予め組み立てたフレームユニットは、予め組み立てたポッド、トラップおよび連結シートまたはカバーシート（これらは、前もって製造された）と共に、個々のユニットとして輸送できる。別の方法は、本発明に従って製造し組み立てたフィルム集合体に到達するために、このポッドおよびトラップを前もって連結ストリップに組み立てる工程、次いで、暗室にて、これらのフィルムユニットを組み立てる工程、次いで、この被覆シートを必要とする部品を覆って、被覆部材を積層する工程を包含する。
【００４２】
本発明によれば、これらのフィルムフレームは、予め組み立てた部品を使って形成できるか、または連続的に形成できる。本発明によれば、本発明の構造体およびそれらの構成方法は、このフィルム集合体が異なる構造を有し得るが依然として同じ写真用装置（そのためのフィルム集合体をそれと共に操作するように意図している）で使用できる点で、非常に汎用性である。このことは、公知のアプローチ（ここで、そのカメラには、単一のフィルムフォーマットが供され、それにより、このフィルムの構造変化および／またはこのようなフィルムを組み立てる方法は、このようなフィルムを目的の写真用デバイスと共に使用不可能にする可能性が高い）よりも有利である。
【００４３】
今ここで、本発明の別の好ましい実施形態を説明するために、図１６〜１８を参照する。このことに関して、前述の型の自己現像型フィルム集合体について、規定が設けられ、ここで、そのポッドおよびトラップは、使用者が引き裂くことにより、確実に分離されており、そして残りの画像受容部分の末端は、引き裂いたポッドおよびトラップ要素を密封可能にすることに加えて、流体の漏れに対して密封可能である。
【００４４】
この実施形態では、フィルム集合体１１０は、多くの点で、第一実施形態の構造に類似している。フィルム集合体１１０は、複数のフィルムフレーム１１６、１１６ａ、１１６ｂを有する。これらのフィルムフレームの各々は、互いに対して、壊れやすいように相互連絡されている。それに加えて、各フレームは、順に、壊れやすく、それにより、フレームにより運ばれる各自己現像型フィルムユニット１１２は、このフレームの残りから分離される。有利なことに、使用者は、このフィルムユニットを分離でき、その構成部分からの残留現像流体の漏れなしで、このポッドおよびトラップの両方を捨てることができる。
【００４５】
上述の分離機能および密封機能を促進するために、略同延の延長部またはカップリング要素の対１５０、１５２；および１５４、１５６が設けられている。例えば、図１６および１７で図示しているように、下部カップリング要素１５０は、連結ストリップ１１４ａおよび感光シート１３２の各末端部に積層されているのに対して、カップリング要素１５４は、連結ストリップ１１４ｂおよび感光シート１３２の各末端部に積層されている。図１６および１７で図示しているように、上部カップリング要素１５２は、連結ストリップ１１４および受容シート１３０の各末端部に積層されているのに対して、カップリング要素１５６は、連結ストリップ１１４ｃおよび受容シート１３０の各末端部に積層されている。
【００４６】
これらのカップリング要素の全ては、同じに構成されており、従って、１つを記述することで、全てに足りる。図１８では、カップリング要素１５０が図示されており、これは、好ましくは、薄く可撓性で略平坦な翼様の積層構造体を含み、これは、コア１５８、このコアの一面上の同延接着層１６０、およびこのコアの対向面上の現像流体活性化接着剤（Ｇａｎｔｒｅｚ（登録商標）など）の略同延層１６２を含む。事実、このコアには、多種多様な材料が選択でき、そして層１６０および１６２には、多種多様な接着剤が選択できる（このような材料が、このコアおよび層に対して本明細書中で記述した機能を達成する特性を有する限りにおいて）。例えば、コア１５８は、ポリエステルから製造できる；接着層１６０は、自己現像型フィルムを製造する際に使用するタイプのホットメルト接着剤、または冷間溶接接着剤であり得る；そして層１６２は、Ｇａｎｔｒｅｚ（登録商標）（ならびに他の適当な現像流体活性化接着剤）から製造できる。この実施形態では、各対のこれらのカップリング積層体１５０〜１５６は、フィルムユニットの各末端にて、それらのレールの厚さにほぼ匹敵する合体厚さを有する。図示していないものの、層１６２は、その代わりに、複数のドットから構成され得、これらは、このコアの表面を覆って、間隔を置いて配置されている。明らかに、他の幾何学的配置の接着剤は、考慮される。
【００４７】
特に、カップリング要素１５０および１５４のホットメルト接着剤層１６０は、一端で、それぞれ、連結要素１１４ａおよび１１４ｂの内部末端面部分に直接積層されるだけでなく、感光シート１３２の対向内部長手末端面部分にも積層される。カップリング要素１５２および１５６のホットメルト接着剤層１６０は、一端で、それぞれ、連結要素１１４および１１４ｃの内部末端面部分に直接積層されるだけでなく、受容シート１３０の対向内部長手末端面部分にも積層される。これらのカップリング要素をこのフィルムユニット層に固定するアプローチがいくつかある。１形式では、これらのカップリング要素の対は、理想的には、フィルムユニット１１２を取り付けるとき、側方に間隔を置いて配置した略平行なレール１３４の末端に接するように適合される。このような場合、これらのレールは、これらのカップリング要素がフィルムユニットの縁部の内側で延在する長さを収容するに匹敵する量だけ、短くされる。このフィルム集合体の長手縁部に隣接したカップリング要素の側方縁部を超えて、流体密封を行う際に使用するために、ホットメルト接着剤１７０が塗布されることが分かる。現像流体活性化接着剤層１６２は、このフィルムユニットが処理されているときなどの、この現像流体と直接接触するときはいつでも活性化されるように特に適合される。この現像流体は、破裂したポッドから分配された後、展開されるにつれて、層１６２の上を流れることが分かる。この実施形態では、Ｇａｎｔｒｅｚ（登録商標）被覆部分は、これらのカップリング要素間でゼロ間隙を形成するために現像液を搾り出す展開ローラーにより、共に圧縮される。この作用は、密封を生じるために、互いに面している部分のＧａｎｔｒｅｚ（登録商標）部分を共に接着接合させるのに、重要である。
【００４８】
図２４は、そのフィルムユニットおよびカップリング要素により得られる密封機能を高めるために、レール１３４とカップリング要素１５０の前隅との間で１８０にある相補的なテーパを図示している他の実施形態のポッド末端の図である。図２４ａは、カップリング要素１７２を接合する他の実施形態を図示しており、これは、フィルムユニット１１２の内向き縁部内にあるその１つの末端部にわたって、現像流体活性化接着剤層１７４（例えば、Ｇａｎｔｒｅｚ（登録商標）から製造したもの）を有する。現像流体活性化接着剤層１７４は、カップリング要素１７２よりも幅が短くされ、これらのカップリング要素の前隅は、延長テーパ部分１８２を有し、これらは、テーパ付きレールのものと相補的である。
【００４９】
図示していないものの、本発明は、これらのカップリング要素が、これらのレール間に嵌る（理想的には、これらのレールの内部縁部に接する）幅を有し得ることを予測する。
【００５０】
好ましくは、図１６で示す位置に、これらのカップリング要素の各々を一般に横切って、穿孔１６６の線形アレイ１６４が形成されている。これらの好ましい実施形態は、穿孔の使用を検討しているものの、これらの連結部材とこのフィルムとの間にある他の型の壊れやすい構造（例えば、刻み線、微小穿孔、超音波刻み目または穿孔）は、本発明の精神および範囲内に入ると考えられることが分かる。特に、穿孔１６６は、接着剤層１６０を各コア１５８に添加する前に、各コアでそれを一般に横切って形成され、それにより、さらに、流体漏れに対してこれらの穿孔の密封を生じるのを助ける。さらに、層１６２は、このコアおよび層１６０を穿孔したなら、密封効果を与えることができる。また、この材料を通る融解によって生じた穿孔は、再流（ｒｅｆｌｏｗ）により、そのスリットまたは穿孔に再封着され得る。
【００５１】
穿孔１６６は、好ましくは、図１６で見えるように、そのカップリング要素の長手軸を実質的に横切って延在し、そして位置合わせした位置（これは、このような要素の側縁部より短く、このフィルムユニットおよび同延の連結要素またはシートの側縁部から間隔を置いて配置されている）で終わる。これらの連結要素は、これらのカップリング要素の末端の回りに流体シールを与えるように、カップリング要素の側縁部に隣接した所定面積のホットメルト接着剤１７０を有する。この穿孔の線形アレイもまた、シート１３０、１３２の末端から内向きに位置している。
【００５２】
穿孔１６６は、この積層体および連結要素またはストリップを通る引き裂き作用を得るのに必要な引き裂き伝播力と比較して、その間のランドで得られる強度と比べて、それらのサイズ、形状および間隔の点で、最適化される。言い換えれば、カップリング要素１５０〜１５６にどの材料を選択しても、各穿孔間のランドは、個々に、選択した材料の非穿孔領域での引き裂きを伝播するのに必要な力よりも弱くするべきである。それに加えて、このフィルムを横切る全ランドの強度の合計は、対応するカメラの現像ローラーを通るフィルムユニットを引っ張るのに必要な力よりも強力でなければならない。これらの連結シートの長手縁部では、個々の穿孔は形成されないことが分かる。このことは、このフィルム集合体を引き裂く性能を高めないようにするためにである（特に、フィルム集合体が、例えば、カメラから予定線形引張り経路へと一定角度で引っ張られるとき）。各アレイ１６４の末端穿孔１６６'は、好ましくは、引き裂きが連結要素１１４ａ〜ｃで開始できるように、これらの連結要素の縁部から位置合わせした形態として、間隔を置いて配置される。各穿孔の間隔、サイズおよび形状は、変えることができる。穿孔したゾーンに関する限り、それは、（引張り中では）張力が非常に強いが、引き裂き負荷下では弱い。一部の材料（例えば、ポリエステル）は、手で引き裂くように、穿孔または裂け目を有しなければならないことが分かる。図示した実施形態では、この線形アレイにおける各末端穿孔は、このフィルム集合体の縁部から予め設定した距離（例えば、約０．０５０インチ）で、間隔を置いて配置されているか、または位置合わせされている。この間隔は、これらの材料が、望ましくない角度で、このカメラから引っ張られたなら、フィルムの早期の引き裂きを回避するために、使用されるこれらの材料に充分な強度を与えるが引き裂きによる分離を容易にするように、決定されている。このシートおよび陰画だけでなくマスキング要素の各末端は、穿孔１６６と重なり合っており、それにより、後者を密封するのに役立つ。また、さらなる密封アセンブリ（例えば、これらの穿孔を被覆できるストリップ（図示せず））も考えられる。
【００５３】
上で述べたように、現像流体層１６２は、このポッドからの現像流体が、このフィルムユニットの現像中に、フィルムユニットを通って移動した後、活性化される。結果として、操作者は、これらのカップリング要素の引き裂きに続いて、互いに対向した層１６２を共に押し付けることができ、それにより、このフィルムユニットの両端を密封する。この引き裂き線は内向きであり、層１６２は、このフィルムユニットの内向きに、引き裂いた末端を密封するので、使用者は、試薬を取り扱わない。よって、これらのフィルムユニットの末端には、殆どまたは全く試薬が存在していない。
【００５４】
さらに、分離した連結要素１１４〜１１４ｃの現像流体接着剤層１６２被覆末端は、共に押し付けることができ、このようにして、スクラップポッドおよびトラップの末端部を密封し、それにより、流体の漏れに対して密封する。
【００５５】
前述の構造は、末端１１６ａおよび１１６ｂを引き裂いたとき、ギザギザの縁部の形成を最小にするかまたはなくす清浄な縁部を提供する簡単かつ確実な様式で、それぞれ、フィルムユニット１１２からのポッドおよびトラップ末端１１６'、１１６"の分離を容易にするように、決定されている。穿孔１６６は、上で述べたように、内向きに形成されて、末端部１１６'および１１６"を引き裂いたときに真っ直ぐに露出した縁部を生じ、その引き裂きを制御するようにされ、それにより、引き裂いた縁部は、フィルムユニット１１２の縁部を超えて突出しそうにない。穿孔１６６は、多種多様な構造で形成できるが、どのサイズ、間隔または形状でも、その間のランドは、早期の分離なしに、予定した様式で、現像ローラー（図示せず）を通って、これらのフィルムユニットの引張りを可能にするのに充分な強度を有するべきである。
【００５６】
図１９および２０で図示した他の好ましい実施形態を参照する。この実施形態は、先の実施形態に類似しているが、変更箇所を以下で記す。１つの相違は、それらのカップリング要素および連結要素が、フィルムユニット１１２の内向き縁部内にあるそれらの１末端部にわたって、現像流体活性化接着剤層１７４（これは、例えば、Ｇａｎｔｒｅｚ（登録商標）から製造される）を有する単一のカップリング要素１７２ａ〜ｄに合体されていることにある。再度、Ｇａｎｔｒｅｚ（登録商標）の縁部は、その展開ローラーの作用により、締め付けるべきである。現像流体活性化接着剤層１７４は、カップリング要素１７２ａ〜ｄよりも幅が短く、それにより、これらのカップリング要素の互いに面している面の接着剤領域１７０'により、それらの末端で流体密封が得られる。穿孔１６６は、最後の実施形態のように、このフィルムの引張りと、このポッドおよびトラップの引き裂きとを可能にするように、構成されている。感光シートおよび受容シート１３０、１３２の末端縁部は、それぞれ、穿孔１６６と重なり合い、それにより、この現像流体の漏れをさらに防止する。各アレイの末端穿孔は、もし、このフィルム集合体が一定の角度で引っ張られるなら、早期の分離を防止するために、このフィルムユニットの側方縁部に対して、位置合わせされる。これらのカップリングは、これらの穿孔に沿って引き裂くとき、このフィルムユニットの内向きであり、また、その末端（これらは、操作者により、またはこれらのローラーの作用により自動的に、共に押し付けられる）で形成された現像流体活性化接着剤層によって、それらの分離した末端を密封可能にする。この実施形態は、先のものよりも安価であり、そして製造が簡単である。
【００５７】
図２１〜２３で図示したようなさらに他の好ましい実施形態を参照する。事実上、これらの実施形態は、フィルムユニット２１２それ自体がこのユニットの現像に続くその末端部の分離および密封を容易にするよう構成されるので、前出のものとは異なる。
【００５８】
この目的に向かって、陰画２３２、シート２３０およびレール２３４の長手末端は、連結またはカップリングシートの代わりに、２６６で穿孔されている。これは、有利なことに、このフィルムユニットの末端部の内向きに穿孔を正確に位置づけること、およびこれらのカップリングシートおよび付随した接着剤層の対応する正確な配置という難点をなくす。穿孔２６６は、各レール２３４の内向き縁部および外向き縁部にあるように構成されることが重要であり、それにより、このような配置は、この裂け目を中断することなく、さらに厚いレールを通って、引き裂きの伝播を容易にする。もちろん、これらの同延シート、レールおよび陰画にある穿孔は、整列されている。これらの穿孔を形成するには、種々の方法が使用できる。個々の穿孔間にあるランドは、他の実施形態と同様に、これらの現像ローラーを通って、このフィルムユニットを張りつめて引っ張ることを促進するだけでなく、この引き裂き線に沿った横への引き裂きを容易にする。
【００５９】
カップリングアセンブリまたはシート２１４および２１４ａ〜ｃは、穿孔２６６を密封するために、フィルムユニット２１２の外面に積層される。カップリングシート２１４、２１４ａ〜ｃの末端またはアセンブリは、それらの末端（これらは、穿孔２６６と重なり合っており、それにより、後者に対して流体密封を与える）で、ホットメルト接着剤層（図示せず）を有する。その現像ならびにこのポッドおよびトラップの末端の分離に続いて、このシートおよび陰画の末端部を流体密封するために、このシートおよび陰画の互いに面した面において予め設定した位置で配置した現像流体活性化接着剤層２６８について、規定が設けられている。層２６８は、穿孔２６６の両側に延在しており、その上に現像流体を通すことに続いて、活性化される。分離したポッドおよびトラップ部分にある接着剤層もまた、それらの各末端を流体の漏れに対して密封できることが分かる。現像流体活性化接着剤は存在する必要がないことが分かる。これは、このフィルムユニット上の引き裂き線が新たな縁部を与えるのに対して、このカップリングシートの縁部よりは、残留現像流体が存在している可能性が低いからである。カップリングアセンブリ２１４、２１４ａ〜ｃは、上記様式で、それらの長手縁部に沿って、このフィルムユニットに密封される。
【００６０】
図２３を参照すると、穿孔の代わりに、シート２３０および陰画２３２は、図示しているように、そこを横切って刻み線２８０を有し得、これらは、このポッドおよびトラップ領域からのフィルムユニットの分離を容易にする壊れやすい手段を形成する。これらの刻み線は、レール２３４の外側寄り縁部で、引き裂き伝播ノッチ２８２と整列されている。このレールの内側寄り縁部には、一連のマイクロノッチ２８４（その図面の描写は、縮尺が同じではない）が形成されている。これらのマイクロノッチは、これらの刻み線にレールノッチを整列する重要性（ｃｒｉｔｉｃａｌｉｔｙ）を最小限に抑える。明らかに、マイクロノッチ２８４は、このレールの両縁で形成できる。この穿孔の配置は、この引き裂き作用がフィルムユニット全体にわたって事実上中断することなく継続するのを保証するのに必要である。
【００６１】
図２５および２６は、自己現像型のフィルム集合体３００の他の好ましい実施形態を図示しており、ここで、フィルムユニット３０２は、一対のレール３０８（１本だけ示している）により間隔を置いて配置された感光層３０４および画像受容層３０６を含む。従来の接着剤層（図示せず）などにより、各層３０４および３０６の内向き面には、連結シート３１０ａ〜ｄが固定されている。層３０４、３０６の弱くした壊れやすい部分３１２、３１４は、共に接合したとき、好ましくは、シート３１０ａ〜ｄの内向き末端部にある弱くした壊れやすい刻み線３１６と垂直に整列されている。この実施形態では、これらの連結シートの互いに対向している面は、アルカリ系接着剤（図示せず）を備え付けている。この実施形態では、ユニット３０２の内向きのシートを合わせた厚さは、このレールの厚さにほぼ等しい。
【００６２】
現在、本発明の好ましい実施形態であると考えられるものを記述しているものの、本発明から逸脱することなく、そこに、種々の変更を行い得ることは、当業者に容易に明らかとなる。
【図面の簡単な説明】
【図１】  図１は、本発明に従ってフィルムを製造する好ましい方法の１つのブロック線図である。
【図２】  図２は、フィルム集合体の透視図であり、これは、本発明に従って製造できる。
【図３ａ】  図３ａは、本発明のフィルム集合体の上部平面図である。
【図３ｂ】  図３ｂは、組み立て中の図３ａのフィルム集合体の側面図である。
【図３ｃ】  図３ｃは、組み立て後の図３ａのフィルム集合体の１実施形態の側面図である。
【図３ｄ】  図３ｄは、組み立て後の図３ａのフィルム集合体の他の実施形態の側面図である。
【図４】  図４は、本発明のフィルム集合体を製造するのに使用する個々のフィルムユニットに分離する前の一体的フィルムストリップの構造の部分取出透視図である。
【図５】  図５は、このフィルムを製造する１様式の概略形式である。
【図６】  図６は、１形式のポッドの透視図である。
【図７】  図７は、１形式のポッドの末端図である。
【図８】  図８は、本発明によって製造したポッドの一部の１形式を図示している。
【図９】  図９は、１形式のトラップを図示している。
【図１０】  図１０は、他の形式のトラップを図示している。
【図１１】  図１１は、トラップを製造する他の形式を図示している。
【図１１ａ】  図１１ａは、トラップを製造する他の形式を図示している。
【図１１ｂ】  図１１ｂは、このポッドおよびトラップを製造する他の形式を図示している。
【図１２】  図１２は、予め組み立てたフィルムユニットの概略形式を図示している。
【図１３ａ】  図１３ａは、図１２のフィルムフレームの製造における工程を図示している。
【図１３ｂ】  図１３ｂは、図１２の複数のフィルムフレームを組み立てる際の工程を図示している。
【図１３ｃ】  図１３ｃは、図１３ｂて示したフィルムユニット間の連結部をさらに詳細に図示している。
【図１４ａ】  図１４ａは、本発明に従ってトラップを製造するさらに他の方法を図示している。
【図１４ｂ】  図１４ｂは、本発明に従ってトラップを製造するさらに他の方法を図示している。
【図１４ｃ】  図１４ｃは、本発明に従ってトラップを製造するさらに他の方法を図示している。
【図１５】  図１５は、折り畳んだ形状の本発明によるフィルム集合体の概略図である。
【図１６】  図１６は、本発明によるフィルム集合体のさらに他の好ましい実施形態の概略透視図である。
【図１７】  図１７は、図１６のフィルム集合体の概略立面図である。
【図１８】  図１８は、図１６および１７のフィルム集合体のカップリング要素の拡大透視図である。
【図１９】  図１９は、本発明によるフィルム集合体のさらに他の好ましい実施形態の概略透視図である。
【図２０】  図２０は、図１９のフィルム集合体の概略立面図である。
【図２１】  図２１は、本発明によるフィルム集合体のさらに他の好ましい実施形態の概略透視図である。
【図２２】  図２２は、図２１のフィルム集合体の概略立面図である。
【図２３】  図２３は、図２１のフィルム構造のさらに他の好ましい実施形態の概略透視図である。
【図２４】  図２４は、カップリング要素とフィルムユニットとの間のカップリングの実施形態を図示している。
【図２４ａ】  図２４ａは、カップリング要素とフィルムユニットとの間のカップリングの実施形態を図示している。
【図２５】  図２５は、さらに他の好ましい実施形態の分解概略透視図である。
【図２６】  図２６は、図２５の実施形態の概略立面図である。
【図１】
0004738686.tif 000002
【図２】
0004738686.tif 000003
【図３Ａ】
0004738686.tif 000004
【図３Ｂ】
0004738686.tif 000005
【図３Ｃ】
0004738686.tif 000006
【図３Ｄ】
0004738686.tif 000007
【図４】
0004738686.tif 000008
【図５】
0004738686.tif 000009
【図６】
0004738686.tif 000010
【図７】
0004738686.tif 000011
【図８】
0004738686.tif 000012
【図９】
0004738686.tif 000013
【図１０】
0004738686.tif 000014
【図１４Ａ】
0004738686.tif 000015
【図１４Ｂ】
0004738686.tif 000016
【図１４Ｃ】
0004738686.tif 000017
【図１１】
0004738686.tif 000018
【図１１Ａ】
0004738686.tif 000019
【図１１Ｂ】
0004738686.tif 000020
【図１３Ｃ】
0004738686.tif 000021
【図１３Ａ】
0004738686.tif 000022
【図１２】
0004738686.tif 000023
【図１３Ｂ】
0004738686.tif 000024
【図１５】
0004738686.tif 000025
【図１６】
0004738686.tif 000026
【図１７】
0004738686.tif 000027
【図１８】
0004738686.tif 000028
【図１９】
0004738686.tif 000029
【図２０】
0004738686.tif 000030
【図２１】
0004738686.tif 000031
【図２２】
0004738686.tif 000032
【図２３】
0004738686.tif 000033
【図２４】
0004738686.tif 000034
【図２４ａ】
0004738686.tif 000035
【図２５】
0004738686.tif 000036
【図２６】
0004738686.tif 000037